(57)【特許請求の範囲】
【請求項１】
電源側の静止部分と電気機器を有する可動部分とを備えた遊技機における前記電源側の静止部分と前記電気機器とを接続する接続配線の取付構造において、
前記接続配線が配置される基体と、
前記基体における前記接続配線が配置される経路に設けられた突部からなる固定用フックと、
前記接続用配線を前記固定用フックに固定する結束バンドと、
前記経路における前記固定用フックが設けられた位置よりも前記電気機器側に設けられ、内周側に前記接続配線を通すことのできる凹部または穴部を備えた湾曲部を有する丸棒で構成された突部からなる揺動防止用フックとを備え、
前記揺動防止用フックにおける前記接続配線が接触する内周側の面が滑らかな曲面で構成されていることを特徴とする接続配線の取付構造。
【請求項２】
前記接続配線における前記固定用フックと前記揺動防止用フックとの間に配置される部分に目印を設けた請求項１に記載の接続配線の取付構造。
【請求項３】
前記基体の表面が平面で構成されており、前記固定用フックが、前記基体の表面から前記基体の表面に対して直交して延びる垂直片と、前記垂直片の先端から前記基体の表面に対して水平に延びる水平片とを備えており、前記接続配線が長手方向を前記水平片の延びる方向に沿わせた状態で、前記水平片に固定されている請求項１または２に記載の接続配線の取付構造。
【請求項４】
前記基体の表面が平面で構成されており、前記揺動防止用フックが、前記基体の表面から前記基体の表面に対して直交して延びる垂直片を備え、前記湾曲部が前記垂直片の先端から円弧状に延びている請求項１ないし３のうちのいずれか一つに記載の接続配線の取付構造。
【請求項５】
前記湾曲部の先端に、前記湾曲部の先端側部分とでＶ形の形状を形成するようにして前記湾曲部の外部側に延びるガイド片を設けた請求項４に記載の接続配線の取付構造。
【請求項６】
前記電気機器がＬＥＤである請求項１ないし５のうちのいずれか一つに記載の接続配線の取付構造。
【請求項７】
前記基体、前記固定用フックおよび前記揺動防止用フックを、樹脂材料を一体成形することにより形成した請求項１ないし６のうちのいずれか一つに記載の接続配線の取付構造。
【発明の詳細な説明】
【技術分野】
【０００１】
本発明は、電源側の静止部分と電気機器を有する可動部分とを備えた遊技機における電源側の静止部分と電気機器とを接続する接続配線の取付構造に関する。
【背景技術】
【０００２】
従来から、パチンコ機やスロットルマシン等の遊技機においては、モータからなる駆動源や発光装置等の種々の電気機器が設けられており、これらの電気機器は接続配線やコネクタ等を介して電源側に配置された制御基板等に接続されている（例えば、特許文献１参照。）。この遊技機では、裏機構盤に、各制御装置の基板を接続する接続配線が設けられており、この接続配線は、係止部材と、バインド部材とで係止されることにより、所定の経路に沿った位置に保持されている。
【先行技術文献】
【特許文献】
【０００３】
【特許文献１】特開２００２−１０２４９９号公報
【発明の概要】
【０００４】
しかしながら、前述した遊技機では、接続配線がともに静止状態にある制御装置の基板間を接続するために設けられている。このため、前述した配線の取付構造を、接続配線に接続される一方側が所定の動きをする可動部分で構成された遊技機に用いた場合には、接続配線が揺動して接続配線における係止部材とバインド部材とで係止される部分に衝撃が加わってその部分に消耗や破損が生じやすくなる。
【０００５】
本発明は、前述した問題に対処するためになされたもので、その目的は、可動部分に接続される接続配線に衝撃が加わって消耗や破損が生じることを防止できる接続配線の取付構造を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明に係る接続配線の取付構造の構成上の特徴は、電源側の静止部分（１６）と電気機器（２４）を有する可動部分（２１，２２）とを備えた遊技機における電源側の静止部分と電気機器とを接続する接続配線の取付構造（１０）において、接続配線（１１）が配置される基体（１２）と、基体における接続配線が配置される経路に設けられた突部からなる固定用フック（１３，４３）と、接続用配線を固定用フックに固定する結束バンド（１４）と、経路における固定用フックが設けられた位置よりも電気機器側に設けられ、内周側に接続配線を通すことのできる凹部または穴部を備えた湾曲部（１５ｂ）を有する丸棒で構成された突部からなる揺動防止用フック（１５，４５）とを備え、揺動防止用フックにおける接続配線が接触する内周側の面が滑らかな曲面で構成されていることにある。
【０００７】
本発明に係る接続配線の取付構造では、接続配線を固定するための固定用フックと結束バンドとに加えて、揺動防止用フックが備わっている。そして、固定用フックは、接続配線が配置される経路に設けられ、揺動防止用フックは、その経路における固定用フックが設けられた位置よりも電気機器側に設けられている。このため、まず、接続配線を結束バンドで固定用フックに固定することにより、接続配線が、配置場所として設定された経路から外れることを防止できる。この場合、固定用フックに固定されるのは接続配線の中間部分である。
【０００８】
また、接続配線における固定用フックと結束バンドとで固定された部分よりも電気機器側の部分、すなわち可動部分側の部分を揺動防止用フックの内周側に位置させてその内周側の曲面に接触させることにより、可動部分から接続配線に伝わる揺れや振動が、接続配線における固定用フックと結束バンドとで固定された部分に直接に伝わることが防止される。すなわち、接続配線における固定用フックと結束バンドとで固定された部分に大きな衝撃が集中して加わることが防止される。さらに、揺動防止用フックにおける接続配線が接触する内周側の面が滑らかな曲面で構成されているため、接続配線が揺動防止用フックに接触して擦れてもその部分が消耗したり破損したりすることも防止される。また、揺動防止用フックが、丸棒で構成されているため、接続配線が接触しても消耗したり破損したりすることがない。なお、本発明に係る接続配線は複数本であってもよいし１本であってもよい。また、固定用フックと揺動防止用フックとは近傍に配置することが好ましい。
【０００９】
また、本発明に係る接続配線の取付構造の他の構成上の特徴は、接続配線における固定用フックと揺動防止用フックとの間に配置される部分に目印（１４Ａ）を設けたことにある。
【００１０】
本発明によると、接続配線を結束バンドで固定用フックに固定する際の固定部分の位置決めを正確にすることができる。この場合、可動部分の移動に追従して移動する接続配線の移動範囲を考慮して目印を設ける。すなわち、接続配線には可動部分の移動を阻害しないように、ある程度の撓みを持たせる必要があるが、この撓みの量が多すぎると接続配線が他の部材に引っ掛かったりするおそれが生じ、逆に撓みの量が少なすぎると接続配線が断線したり電気機器から外れたりするおそれが生じる。このため、接続配線における固定用フックに固定される部分と電気機器に接続される部分との間の長さを適正にする必要がある。本発明では、予め接続配線に目印を設けておくことにより、接続配線を適正な状態で静止部分と可動部分との間に配置することができる。
【００１１】
また、目印としては、接続配線が複数本の場合であれば結束バンドや粘着テープを用いることができる。これによると、結束バンドや粘着テープを目印としてだけでなく、複数の接続配線を束ねるための部材としても使用できる。また、接続配線が１本の場合であれば、粘着テープやインクの塗布等を目印とすることができる。なお、目印は、接続配線における固定用フックや揺動防止用フックに位置決めされる部分やその近傍、または、固定用フックと揺動防止用フックとの中間位置に位置決めされる部分を基準として設けることが好ましい。
【００１２】
また、本発明に係る接続配線の取付構造のさらに他の構成上の特徴は、基体の表面が平面で構成されており、固定用フックが、基体の表面から基体の表面に対して直交して延びる垂直片（１３ａ，１３ｂ）と、垂直片の先端から基体の表面に対して水平に延びる水平片（１３ｃ）とを備えており、接続配線が長手方向を水平片の延びる方向に沿わせた状態で、水平片に固定されていることにある。
【００１３】
この場合、水平片の延びる方向を接続配線が配置される経路に沿わせることが好ましい。これによると、基体の表面に対して平行に延びる水平片に沿った接続配線を結束バンドでそのまま水平片に固定できるため、接続配線を水平片に対して真っ直ぐに延ばした状態に維持でき、固定用フックへの接続配線の固定が容易になるとともに、接続配線が延びる方向の寸法精度を正確なものにすることができる。また、固定用フックを、間隔を保って設けられた一対の垂直片と、一対の垂直片の端部を連結する水平片とで構成することもできる。これによると、結束バンドが水平片から外れることを確実に防止できる。
【００１４】
また、本発明に係る接続配線の取付構造のさらに他の構成上の特徴は、基体の表面が平面で構成されており、揺動防止用フックが、基体の表面から基体の表面に対して直交して延びる垂直片（１５ａ，４５ａ）を備え、湾曲部が垂直片の先端から円弧状に延びていることにある。また、この場合、湾曲部の先端に、湾曲部の先端側部分とでＶ形の形状を形成するようにして湾曲部の外部側に延びるガイド片（１５ｄ）を設けることが好ましい。
【００１５】
本発明によると、接続配線を湾曲部の端部と基体の表面側との間から湾曲部の内部に入れることができるため、接続配線を湾曲部の内部に入れる操作が簡単になる。また、湾曲部の先端外側に、ガイド片を設けることにより、接続配線を湾曲部の内部に入れる操作がスムーズになる。
【００１６】
また、本発明に係る接続配線の取付構造のさらに他の構成上の特徴は、電気機器がＬＥＤ（２４）であることにある。これによると、可動部分が移動するとともに、その可動部分が有するＬＥＤが点灯したり点滅したりするようになり、興趣に富む遊技機を得ることができる。
【００１７】
また、本発明に係る接続配線の取付構造のさらに他の構成上の特徴は、基体、固定用フックおよび揺動防止用フックを、樹脂材料を一体成形することにより形成したことにある。これによると、基体、固定用フックおよび揺動防止用フックの成形が容易になる。この場合、基体における固定用フックや揺動防止用フックの内周側の面に対応する部分には成形金型の一部が通過できる穴を設けておく。これによって、基体の表面に突部からなる固定用フックや揺動防止用フックを設けても、基体、固定用フックおよび揺動防止用フックを一体成形することができる。
【図面の簡単な説明】
【００１８】
【図１】本発明の一実施形態に係る接続配線の取付構造を示した斜視図である。
【図２】本発明の一実施形態に係る接続配線の取付構造の要部を示した斜視図である。
【図３】接続配線の取付構造が備わった遊技機のシャッター部が閉じた状態を示した斜視図である。
【図４】接続配線の取付構造が備わった遊技機のシャッター部が半分閉じた状態を示した斜視図である。
【図５】接続配線の取付構造が備わった遊技機のシャッター部が開いた状態を示した斜視図である。
【図６】図４の遊技機を後方から見た状態を示した斜視図である。
【図７】固定用フックと揺動防止用フックとを示した斜視図である。
【図８】結束バンドを示しており、（ａ）は平面図、（ｂ）は側面図である。
【図９】変形例に係る接続配線の取付構造の固定用フックと揺動防止用フックとを示した斜視図である。
【発明を実施するための形態】
【００１９】
以下、本発明の一実施形態を図面を用いて説明する。図１および図２は同実施形態に係る接続配線の取付構造１０を示している。この接続配線の取付構造１０は、図３ないし図６に示した可動装飾装置Ａに備わっている複数の接続配線１１の中間部分を可動装飾装置Ａの装置本体１２の所定部分に固定するもので、固定用フック１３と、結束バンド１４，１４Ａと、揺動防止用フック１５とを備えている。また、可動装飾装置Ａは、パチンコ機からなる遊技機の遊技面に組み込まれ、遊技面に形成された窓部の奥側に設置された表示パネルの手前で変形することにより表示パネルを露出させたり覆ったりして表示面に変化を生じさせるものである。
【００２０】
この可動装飾装置Ａは、本発明に係る基体としての装置本体１２に、本発明に係る可動部分としてのシャッター部２０と、一対の駆動装置３０Ｌ，３０Ｒ（図６参照）と、本発明に係る電源側の静止部分としての一対の制御基板１６（一方しか図示せず）とを設置して構成されている。そして、装置本体１２は、それぞれ略四角形の枠状に形成された表面ケース１２ａと、裏面ケース１２ｂとを組み付けて構成されており、表面ケース１２ａと裏面ケース１２ｂとは、それぞれ樹脂材料を射出成形により一体に成形して形成されている。
【００２１】
表面ケース１２ａと裏面ケース１２ｂとの間には、装置本体１２の中央側の空間に連通する凹部が外周部に沿って形成されており、装置本体１２は、それぞれ枠状に形成された前面部と後面部と、前面部と後面部との外周縁部を略連結する周面部とで構成されている。そして、装置本体１２の左右における上下方向の中央側にそれぞれ駆動装置３０Ｌ，３０Ｒが設置される駆動装置収容部１７ａ，１７ｂが形成され、装置本体１２の上下における左右方向の中央側にそれぞれ制御基板１６が設置される制御基板収容部１８ａ，１８ｂが形成されている。
【００２２】
接続配線の取付構造１０は、このように構成された装置本体１２の裏面ケース１２ｂの前面における制御基板収容部１８ａ，１８ｂの近傍部分に複数個設けられている。なお、図１は、図３ないし図５に示した可動装飾装置Ａにおける右下部分に設けられた接続配線の取付構造１０を示している。接続配線１１は、後述するシャッター部２０の各Ｙ字形可動装飾片２１，２２と制御基板１６とを接続するもので、一方の端部に各Ｙ字形可動装飾片２１，２２に接続される可動側コネクタ１１ａが取り付けられ、他方の端部に制御基板１６に接続される静止側コネクタ１１ｂが取り付けられている。
【００２３】
固定用フック１３は、図７に示したように、裏面ケース１２ｂの前面（図７では上面）から前方に突出する略コ字状の突部で構成されており、間隔を保って配置された一対の四角棒状の垂直片１３ａ，１３ｂと、垂直片１３ａ，１３ｂの先端部間を連結する四角棒状の水平片１３ｃとで構成されている。固定用フック１３は、裏面ケース１２ｂの前面における接続配線１１が配置される経路（図示せず）に沿った位置に配置されており、水平片１３ｃが延びる方向を接続配線１１が延びる方向に合わせて形成されている。また、裏面ケース１２ｂにおける固定用フック１３の内部側に対応する部分には、前後に貫通する穴部１２ｃが形成されている。
【００２４】
結束バンド１４は、複数の接続配線１１を束ねて固定用フック１３に固定するもので、図８（ａ），（ｂ）に示したように、ヘッド部１４ａと、バンド部１４ｂとで構成されている。ヘッド部１４ａは、正面（図８（ａ），（ｂ）の左側から見た面）および側面（図８（ｂ）に示した面）がそれぞれ台形になった肉厚板状に形成されており、前面から後面にかけてバンド部１４ｂを通すことのできる係合穴１４ｃが貫通している。また、バンド部１４ｂの上面には、バンド部１４ｂの長手方向に直交する方向に延びる突部と凹部とからなるセレーション１４ｄが形成されている。
【００２５】
このセレーション１４ｄの各突部は前部（図８（ａ）の左側部分）がバンド部１４ｂの上面に対して略垂直になった面で構成され後部（図８（ａ）の右側部分）が後方に向かって下り傾斜になった傾斜面で構成されている。このため、図８（ｂ）の状態のバンド部１４ｂの後端側部分を下方に湾曲させてバンド部１４ｂが環状になるようにして、その後端側をヘッド部１４ａの係合穴１４ｃの前部側から通していくと、バンド部１４ｂは、後退はできず前進だけできる状態でヘッド部１４ａ内に入っていく。すなわち、セレーション１４ｄの各突部は、前進する際には、傾斜面が係合穴１４ｃの内面に接触して前進が可能になり、後退しようとすると、略垂直の面が、係合穴１４ｃの開口縁部に係合して後退できない状態になる。
【００２６】
図２では、同じ構成からなる２個の結束バンド１４，１４Ａが示されており、一方の結束バンド１４は、複数の接続配線１１を束ねて固定用フック１３に固定している。この場合、まず、結束バンド１４のバンド部１４ｂを固定用フック１３の内部に通すとともに、固定用フック１３の水平片１３ｃの一方の面（図７の手前側の面）に接続配線１１を沿わせる。その状態で、水平片１３ｃと接続配線１１との全体の外周部をバンド部１４ｂで囲み、ヘッド部１４ａの係合穴１４ｃにバンド部１４ｂのセレーション１４ｄを係合させる。接続配線１１の水平片１３ｃに対する締め付けは、接続配線１１が水平片１３ｃに対して振動しない程度にしておき、締め付け後のバンド部１４ｂの余分な部分は切断しておくことが好ましい。
【００２７】
他方の結束バンド１４Ａは、接続配線１１における固定用フック１３に位置決めされる部分の目印として予め接続配線１１に取り付けられているものであり、接続配線１１の長手方向の位置を示すために用いられている。この結束バンド１４Ａは、複数の接続配線１１の外周部をバンド部１４ｂで囲み、ヘッド部１４ａの係合穴１４ｃとバンド部１４ｂのセレーション１４ｄとを係合させることにより、複数の接続配線１１を束ねている。また、図１に示したように、接続配線１１における固定用フック１３から離れた部分をばらつきを防止するために束ねる際にも、結束バンド１４Ｂを用いることができる。この結束バンド１４Ｂも、結束バンド１４，１４Ａと同じ構成のものである。
【００２８】
揺動防止用フック１５は、裏面ケース１２ｂの前面から前方に突出する丸棒状の突部で構成されており、接続配線１１が配置される経路における固定用フック１３よりも僅かにシャッター部２０寄りの部分に配置されている。揺動防止用フック１５は、垂直片１５ａと、垂直片１５ａの先端から湾曲して延びる略Ｕ字状の湾曲部１５ｂと、湾曲部１５ｂの先端から前方に延びる突出片１５ｃと、突出片１５ｃと分岐するようにして湾曲部１５ｂの先端から斜め前方に延びるガイド片１５ｄとで構成されている。垂直片１５ａは、固定用フック１３と並ぶようにして水平片１３ｃの延びる方向の延長線上に配置されており、湾曲部１５ｂは、垂直片１５ａの先端から接続配線１１の経路の上部側を囲うようにして半円状に延びたのちにさらに僅かに後方に延びている。
【００２９】
突出片１５ｃとガイド片１５ｄとは、Ｖ字形を形成するように湾曲部１５ｂの先端から前方に延びており、ガイド片１５ｄは、裏面ケース１２ｂの前面と垂直片１５ａの延びる方向とに対してそれぞれ略４５度の角度になるように傾斜している。このため、接続配線１１を図７の手前側から湾曲部１５ｂの内部に入れる際に、ガイド片１５ｄがガイドとなって接続配線１１を湾曲部１５ｂの内部にスムーズに入れることができる。なお、ガイド片１５ｄは、湾曲部１５ｂの先端側部分ともＶ字形を形成するように形成されている。
【００３０】
結束バンド１４によって固定用フック１３に固定された複数の接続配線１１のシャッター部２０寄りの部分は、湾曲部１５ｂの内部に位置決めされることにより、シャッター部２０からの揺れや振動が固定用フック１３に固定された部分に直接伝わることを防止する。これによって、接続配線１１における固定用フック１３に固定された部分に加わる衝撃が緩和される。また、裏面ケース１２ｂにおける揺動防止用フック１５の垂直片１５ａの外部側を除いた部分に対応する部分には、前後に貫通する穴部１２ｄが形成されている。
【００３１】
また、目印として用いられる結束バンド１４Ａは、固定用フック１３と揺動防止用フック１５との間に位置させる。この結束バンド１４Ａは、シャッター部２０と制御基板１６との間で接続配線１１を固定する部分として最適な部分に設けられている。そして、この結束バンド１４Ａを固定用フック１３と揺動防止用フック１５との間に位置させることにより、結束バンド１４Ａとシャッター部２０との間に位置する接続配線１１の長さが長すぎたり短すぎたりして接続配線１１がシャッター部２０の動きを妨げるといったことがなくなる。すなわち、複数の接続配線１１は予め結束バンド１４Ａによって束ねられており、束ねられた複数の接続配線１１が結束バンド１４によって固定用フック１３に固定される。
【００３２】
つぎに、可動装飾装置Ａの構成について説明する。図３ないし図５に示したように、表面ケース１２ａの上部における左右方向の中央には、表面ケース１２ａの上端から表面ケース１２ａの中央に向かって真直ぐに延び、下端が表面ケース１２ａの枠内の空間部に僅かに突出する上部固定ガイド部１９ａが形成されている。また、裏面ケース１２ｂの下部における左右方向の中央には、裏面ケース１２ｂの下端近傍から裏面ケース１２ｂの中央に向かって真直ぐに延び、上端が裏面ケース１２ｂの枠内の空間部に僅かに突出する下部固定ガイド部１９ｂが形成されている。
【００３３】
そして、装置本体１２の左側部分における上下方向の中央には、装置本体１２の内側縁部近傍から装置本体１２の中央に向かって真直ぐに延び、先端が装置本体１２の枠内の空間部に僅かに突出する左固定ガイド部１９ｃが形成されている。さらに、装置本体１２の右側部分における上下方向の中央には、装置本体１２の内側縁部近傍から装置本体１２の中央に向かって真直ぐに延び、先端が装置本体１２の枠内の空間部に僅かに突出する右固定ガイド部１９ｄが形成されている。
【００３４】
シャッター部２０は、後部側に配置された６個のＹ字形可動装飾片２１と、６個のＹ字形可動装飾片２１の前部側に重なって配置された６個のＹ字形可動装飾片２２とを互いに回転可能な状態に組み付けて構成されており、装置本体１２の内部空間に配置されている。各Ｙ字形可動装飾片２１は、中心から１２０度の角度を保って延びる３つの片２１ａを備えている。そして、図６に示したように、各Ｙ字形可動装飾片２１の内部には、裏面の一部が開口した収容部が形成されており、この収容部内に３つの片からなるＹ形のプリント配線板２３が収納されている。
【００３５】
このプリント配線板２３の前面には、それぞれ５〜８個程度のＬＥＤ２４（図１参照）が間隔を保って取り付けられている。また、各Ｙ字形可動装飾片２１における制御基板１６に近い位置にある片２１ａには窓穴２１ｂが形成されている。そして、プリント配線板２３における窓穴２１ｂに対向する部分には、接続配線１１の可動側コネクタ１１ａに接続するためのコネクタ２１ｃが設けられている。また、プリント配線板２３には、コネクタ２１ｃからプリント配線板２３の中央を通ってそれぞれ他の片の先端側に延びる配線が形成されており、この配線によって各ＬＥＤ２４はコネクタ２１ｃに接続されている。
【００３６】
前部側に配置される各Ｙ字形可動装飾片２２も、中心から１２０度の角度を保って延びる３つの片２２ａを備えている。このＹ字形可動装飾片２２の内部には、空間部からなる収容部が設けられており、この収容部内にも、複数のＬＥＤ２４が取り付けられたＹ形のプリント配線板（図示せず）が収容されている。また、各Ｙ字形可動装飾片２２における制御基板１６に近い位置にある片２２ａには窓穴２２ｂが形成され、プリント配線板における窓穴２２ｂに対向する部分には、接続配線１１の可動側コネクタ１１ａに接続するためのコネクタ２２ｃが設けられている。
【００３７】
シャッター部２０は、このような６個のＹ字形可動装飾片２１と６個のＹ字形可動装飾片２２との端部どうしを端部連結部２５で互いに回転可能に連結するとともに、中心部どうしを中心連結部２６で互いに回転可能に連結して組み付けることにより環状に形成されている。また、シャッター部２０の所定の端部連結部２５や中心連結部２６の近傍には、それぞれ上部固定ガイド部１９ａ、下部固定ガイド部１９ｂ、左固定ガイド部１９ｃおよび右固定ガイド部１９ｄに対して摺動可能な摺動連結部が設けられている。
【００３８】
そして、シャッター部２０は、各摺動連結部を上部固定ガイド部１９ａ等に係合させることにより、装置本体１２に組み付けられ、各摺動連結部を上部固定ガイド部１９ａ等に沿って移動させることにより変形するように構成されている。この場合、シャッター部２０は、各Ｙ字形可動装飾片２１におけるコネクタ２１ｃ，２２ｃが設けられた部分を、装置本体１２の外周側に位置させた状態で装置本体１２に組み付けられる。これによって、コネクタ２１ｃ，２２ｃや接続配線１１が表面ケース１２ａの陰に隠れて、可動装飾装置Ａを前方から見たときにコネクタ２１ｃ，２２ｃや接続配線１１が見えなくなり、コネクタ２１ｃ，２２ｃや接続配線１１によって美観を損ねることが防止される。
【００３９】
駆動装置３０Ｌは、装置本体１２の左側に位置する駆動装置収容部１７ａに設置され、駆動装置３０Ｒは、装置本体１２の右側に位置する駆動装置収容部１７ｂに設置されており、駆動装置３０Ｌと駆動装置３０Ｒは左右対称に配置されている。駆動装置３０Ｌ，３０Ｒは、それぞれ、図６に示したモータ３１の他、図示は省略するが、モータ３１の回転速度を減速する減速ギア、ラックギアからなるスライダーギア、スライダーギアに設けられシャッター部２０の一部をガイドしながら移動させる移動ガイド部等を備えている。スライダーギアは、表面ケース１２ａの裏面に沿って上下に延びる縦長のラックギアで構成されており、減速ギアに歯合している。このため、各モータ３１の作動により、各スライダーギアはそれぞれ上下移動する。
【００４０】
移動ガイド部は、スライダーギアとともに上下移動する水平方向に延びるレール部で構成されており、シャッター部２０の左右両側には移動ガイド部に対して摺動可能な摺動連結部が設けられている。このため、スライダーギアが上下移動すると、シャッター部２０の摺動連結部は、移動ガイド部とともにスライダーギアの上下移動に追従して上下移動するとともに、移動ガイド部に沿って左右に移動する。この場合、駆動装置３０Ｌと駆動装置３０Ｒとは同期して駆動させる。
【００４１】
このように構成したため、２つのモータ３１をそれぞれ作動させると、シャッター部２０は、図３ないし図５の状態に連続して変化するようになる。これによって、シャッター部２０は、Ｙ字形可動装飾片２１とＹ字形可動装飾片２２とをそれぞれ回転させながら閉じたり開いたりする動作を繰り返す。また、制御基板１６には、ＩＣ、抵抗器、コンデンサ等からなる複数の電子部品が装着されている。そして、制御基板１６には、前述した接続配線１１がコネクタ１６ａを介して接続される他、モータ３１から延びる配線（図示せず）も所定のコネクタを介して接続されている。この制御基板１６は、パチンコ機本体が備える制御部に接続され制御部と連係して可動装飾装置Ａを制御する。
【００４２】
すなわち、制御基板１６は、制御部の制御によって作動して、シャッター部２０を変形させたり、ＬＥＤ２４を点灯させたり点滅させたりする。この際、シャッター部２０に変形に応じてＹ字形可動装飾片２１，２２のコネクタ２１ｃ，２２ｃに揺れや振動が発生して接続配線１１にもその揺れや振動が伝わるが、その揺れは、接続配線１１が揺動防止用フック１５に接触することにより減衰される。このため、接続配線１１の揺れや振動が固定用フック１３に直接伝わって、接続配線１１における固定用フック１３に固定された部分に大きな衝撃が加わることが防止される。
【００４３】
以上のように、本実施形態に係る接続配線の取付構造１０では、接続配線１１の中間部分を固定用フック１３と結束バンド１４とで固定している。このため、接続配線１１が、配置場所として設定された経路から外れることを防止できる。また、接続配線１１の経路における固定用フック１３が設けられた位置よりもシャッター部２０側に揺動防止用フック１５が設けられている。このため、シャッター部２０から接続配線１１に伝わる揺れや振動が接続配線１１における固定用フック１３に固定された部分に直接伝わることが防止される。これによって、接続配線１１における固定用フック１３に固定された部分に大きな衝撃が加わって、その部分に消耗や破損が生じることが防止される。
【００４４】
さらに、揺動防止用フック１５が表面が曲面からなる丸棒で構成されているため、接続配線１１が揺動防止用フック１５に接触して擦れてもその部分に消耗や破損が生じることが防止される。また、揺動防止用フック１５にガイド片１５ｄが備わっているため、接続配線１１を湾曲部１５ｂの内部に入れる際に、接続配線１１はガイド片１５ｄに沿って湾曲部１５ｂの内部にスムーズに入るようになる。これによって、接続配線１１を湾曲部１５ｂの内部に入れる際の操作が容易になる。
【００４５】
また、本実施形態では、接続配線１１における固定用フック１３と揺動防止用フック１５との間に配置される部分に目印として結束バンド１４Ａが取り付けられている。このため、接続配線１１を結束バンド１４で固定用フック１３に固定する際の固定部分の位置決めを正確にすることができる。この場合、まず、複数の接続配線１１を結束バンド１４Ａで束ねるが、その際、固定用フック１３とコネクタ２１ｃ，２２ｃとの間の距離や、コネクタ２１ｃ，２２ｃの移動に追従して移動する接続配線１１の移動範囲を考慮して結束バンド１４Ａの位置を決める。
【００４６】
そして、接続配線１１に取り付けられた結束バンド１４Ａを目印として、接続配線１１を結束バンド１４で固定用フック１３に固定する。ついで、接続配線１１の可動側コネクタ１１ａをシャッター部２０のコネクタ２１ｃやコネクタ２２ｃに接続するとともに、接続配線１１の静止側コネクタ１１ｂを制御基板１６のコネクタに接続すると、接続配線１１は適正な状態でシャッター部２０と制御基板１６とを接続した状態になる。すなわち、本実施形態では、結束バンド１４Ａが接続配線１１の移動範囲を考慮して予め接続配線１１に取り付けられているため、接続配線１１の正確な位置決めができるとともに、接続配線１１の設置作業が容易になる。
【００４７】
また、電気機器をＬＥＤ２４で構成したため、シャッター部２０が移動して変形するとともに、そのシャッター部２０が有するＬＥＤ２４が点灯したり点滅したりするようになり、興趣に富む遊技機を得ることができる。さらに、裏面ケース１２ｂ、固定用フック１３および揺動防止用フック１５を、樹脂材料を一体成形することにより形成しているため、裏面ケース１２ｂ、固定用フック１３および揺動防止用フック１５の成形が容易になる。
【００４８】
また、図９は、前述した接続配線の取付構造１０の変形例に係る接続配線の取付構造の要部を示している。この接続配線の取付構造では、固定用フック４３が揺動防止用フック４５の垂直片４５ａに並んだ位置でなく、垂直片４５ａとで接続配線１１の経路を挟む位置にずれて形成されている。この接続配線の取付構造のそれ以外の部分の構成は、前述した接続配線の取付構造１０と同一である。したがって、同一部分に同一符号を記して説明は省略する。これによると、固定用フック４３と垂直片４５ａとで接続配線１１を挟むようになるため、接続配線１１が経路からずれることをさらに確実に防止できる。この接続配線の取付構造のそれ以外の作用効果は、前述した接続配線の取付構造１０の作用効果と同様である。
【００４９】
また、本発明に係る接続配線の取付構造は、前述した各実施形態に限定するものでなく、適宜変更することができる。例えば、前述した実施形態では、複数の接続配線１１を１つの接続配線の取付構造１０等で固定するようにしているが、接続配線の取付構造１０等の中には、１本の接続配線１１を固定するものがあってもよい。その場合、目印としては、結束バンド１４Ａに代えて粘着テープやインクの塗布等にすることができる。また、複数の接続配線１１を固定する場合に、目印として粘着テープを用いてもよい。
【００５０】
さらに、固定用フック１３，４３における垂直片１３ａを省略して、垂直片１３ｂと水平片１３ｃとでＬ形の固定用フック１３，４３を構成してもよい。接続配線１１は、制御基板１６側よりもシャッター部２０側に引っ張られることの方が多いため、垂直片１３ａを省略しても結束バンド１４が水平片１３ｃから外れることは生じ難い。さらに、電気機器としてはＬＥＤ２４以外のものを用いることもできる。要は、接続配線１１によって制御基板１６に接続する必要のあるものであればよい。同様に、可動部分もシャッター部２０に限らず、装置本体１２に対して移動可能になったものであればよい。
【００５１】
また、前述した実施形態では、固定用フック１３，４３や揺動防止用フック１５，４５を裏面ケース１２ｂに設けているが、これらのものは表面ケース１２ａに設けてもよい。さらに、本発明に係る接続配線の取付構造のそれ以外の部分の構成についても本発明の技術的範囲内で適宜変更して実施することが可能である。
【符号の説明】
【００５２】
１０…接続配線の取付構造、１１…接続配線、１２…装置本体、１３，４３…固定用フック、１３ａ，１３ｂ…垂直片、１３ｃ…水平片、１４，１４Ａ…結束バンド、１５，４５…揺動防止用フック、１５ａ，４５ａ…垂直片、１５ｂ…湾曲部、１５ｄ…ガイド片、１６…制御基板、２０…シャッター部、２１，２２…Ｙ字形可動装飾片、２４…ＬＥＤ。
【図１】
0005593494.tif 000002
【図２】
0005593494.tif 000003
【図３】
0005593494.tif 000004
【図４】
0005593494.tif 000005
【図５】
0005593494.tif 000006
【図６】
0005593494.tif 000007
【図７】
0005593494.tif 000008
【図８】
0005593494.tif 000009
【図９】
0005593494.tif 000010